(57)【特許請求の範囲】
【請求項１】
組立状態でトイレや給湯室等の空間を画成する空間ユニットの吊り下げ用治具装置であって、
該空間ユニットを構成する壁パネルの上部に設けたトップレールの上縁に沿って、これの形状に枠組される鋼材からなる縦横のリフトパイプと、上端を該リフトパイプの外周に着脱可能に嵌合し、下端を前記壁パネルの外側面に適宜間隔で一体化された補強フレームに着脱可能に固定される複数のクランプ具と、前記リフトパイプの適宜位置に着脱可能に固定されるワイヤ玉掛用の複数のリフトブロックと、対向する各リフトブロック間を着脱可能に連結するジョイントパイプとを備えたことを特徴とする空間ユニットの吊上げ用治具装置。
【請求項２】
前記各クランプ具は、前記リフトパイプの断面形状に沿って２分割され、かつ連結用ボルトを介してリフトパイプに嵌合されるクランプ金具と、上端を該クランプ金具の下部にボルトを介して連結し、前記クランプ金具を嵌合状態に保持するとともに、下端を前記壁パネル側の補強フレームの上端に、これらを貫通する軸状の連結具を介して着脱可能に連結される側面視略Ｃ形のジョイント金具とからなることを特徴とする請求項１に記載の空間ユニットの吊上げ用治具装置。
【請求項３】
前記各クランプ具は、前記リフトパイプの断面形状に沿って２分割された２つのクランプ金具と、該２つのクランプ金具の下端に枢着軸を介して相互に回動自在に一体的に結合されたジョイント金具とからなり、該２つのクランプ金具は相互に開閉自在で上端が連結用ボルトで締結されて嵌合状態に保持され、該ジョイント金具は前記トップレールを避けてその下方に位置する前記補強フレームの上端に至る側面視略Ｃ形に形成されているとともに、該２つのクランプ金具が開放されたときに該各クランプ金具に各々当接してその回動量を規制するストッパ片が一体形成されており、該ジョイント金具の下端は前記補強フレームに対してこれらを貫通する軸状の連結具により着脱自在に連結されることを特徴とする請求項１記載の空間ユニットの吊上げ用治具装置。
【請求項４】
前記ジョイント金具は、該補強フレームとの連結部における該トップレールに対向する上縁部が該補強フレームとの連結端側に向けて下方に傾斜形成されていることを特徴とする請求項３記載の空間ユニットの吊上げ用治具装置。
【請求項５】
前記ジョイント金具と前記補強フレームとの連結部における該補強フレーム部分には、前記壁パネルと平行に側方に突出するフランジ部を該壁パネルと該ジョイント金具との間に一体形成し、該ジョイント金具には吊り上げ時に該フランジ部に当接する垂直辺部を形成したことを特徴とする請求項３または４のいずれかに記載の空間ユニットの吊上げ用治具装置。
【請求項６】
前記軸状の連結具が、前記ジョイント金具と前記補強フレームとに形成された透孔に挿脱自在に係合されるロック機構を有したインサートピンであることを特徴とする請求項３〜５のいずれかに記載の空間ユニットの吊上げ用治具装置。
【請求項７】
前記軸状の連結具が、前記ジョイント金具と前記補強フレームとに形成された透孔に挿入されて着脱自在に締結固定するボルト及びナットであることを特徴とする請求項２〜５のいずれかに記載の空間ユニットの吊上げ用治具装置。
【請求項８】
前記リフトパイプの両側面には一定間隔でリフトブロック固定用の孔が一列に開けられている一方、該リフトブロックは、前記リフトパイプに跨って移動可能なコ字形断面であって、その側面の両側部には前記孔に一致する間隔の孔が開けられ、該孔同士を一致させた状態で連結ピンを挿通することで、前記リフトブロックを前記リフトパイプの任意位置に固定できるようにしたことを特徴とする請求項１〜７のいずれかに記載の空間ユニットの吊上げ用治具装置。
【請求項９】
前記連結されるリフトパイプ同士の一方の連結端外側部に沿って移動可能に連結され、かつその先端に他方のリフトパイプの端部を支持するパイプ受けを設けたことを特徴とする請求項１〜８のいずれかの項に記載の空間ユニットの吊上げ用治具装置。
【発明の詳細な説明】
【０００１】
【発明の属する技術分野】
本発明は、例えば組立状態でトイレや給湯室等の空間を画成する空間ユニットの吊上げ用治具装置に関する。
【０００２】
【従来の技術】
一般的な空間ユニットとして例えば図１に示すようなトイレユニット１０が知られている。このトイレユニット１０は、予め工場において一部出入口用開口１０ａを設けた壁パネル１を設計形状に従って平面視で略長方形状に組立て、この内部に間仕切り用のブースパネル２を建付け、便器３（大便器及び小便器）、洗面シンク４、洗い用シンク５などを予備配管とともに壁パネル１の内側に作り付け、また図示しない天井パネルを壁パネル１上に一体に組付け、この部分に排気ダクトを配管するとともに、電気配線などを予備配線して一体型構造をなしている。
【０００３】
この構造によれば、躯体工事にあわせて工場生産されたトイレユニット１０を、トラックにより建築現場に搬入し、次いでクレーンで該当する階に揚重し、建物の躯体壁６で仕切られる所定位置に据付けた後は、躯体側に対する各部の配管接続、配線接続を行うだけで、トイレを完成出来るため、現場施工に比べて工期短縮を図ることができ、施工の手数も省略できる利点がある。
【０００４】
なお、工場組立時には、トイレユニット１０の床面にフレームを配置した構造とすることで、建物躯体に据付けた後に、シンクや便器に設けた予備配管を躯体側に配管された上水道及び下水道配管に接続し、また各部電気的配線接続を行った後、防水タイルなどの床仕上げ材で仕上げるようにしており、そのため工場出荷時の荷姿は、床面のみが抜けた五面体となっている。
【０００５】
【発明が解決しようとする課題】
ところで、前記トイレユニット１０は、単にパネルを組立てたままの状態では、クレーンによる吊上げ時の剛性が不足し、また、設備機器の配置による重心の偏在により水平を保ちながら吊上げることが困難である。
【０００６】
そのため従来は、同図１に示すように、壁パネル１の上縁外周を囲うようにして鉄骨などの構造材からなる外殻フレーム７を装着固定することにより、剛性不足を解消するとともに、この外殻フレーム７のユニット重心位置となる位置にワイヤを玉掛して揚重することにより、形状及び水平を保持したまま搬入を行えるようにしている。
【０００７】
しかしながら、この構造では、図示のごとく、外殻フレーム７による突出分のスペースも計算してトイレユニットの大きさを設計する必要があり、現場施工に比べてトイレ室内の実質的なスペースが狭くならざるを得なかった。
【０００８】
また、以上の外殻フレーム７は、揚重時のトイレユニット１０の剛性や重心を保持するためだけに専ら機能するだけであり、据付け後では、パネル組立体のみでも十分に形状保持性があるため、機能としては過剰であるほか、加工費用の増加や、重量増加の原因となっており、改善が望まれていた。
【０００９】
本発明は、以上の課題を解決するものであり、その目的は、トイレや給湯室等を画成する空間ユニットの搬入時における剛性を確保し、吊上げ時の水平を保つべく、ワイヤの支持位置を調整でき、しかも容易に転用することを可能とする空間ユニットの吊上げ用治具装置を提供するものである。
【００１０】
【課題を解決するための手段】
以上の目的を達成するため、請求項１に係る発明の空間ユニットの吊上げ用治具装置は、組立状態でトイレや給湯室等の空間を画成する空間ユニットの吊り下げ用治具装置であって、該空間ユニットを構成する壁パネルの上部に設けたトップレールの上縁に沿って、これの形状に枠組される鋼材からなる縦横のリフトパイプと、上端を該リフトパイプの外周に着脱可能に嵌合し、下端を前記壁パネルの外側面に適宜間隔で一体化された補強フレームに着脱可能に固定される複数のクランプ具と、前記リフトパイプの適宜位置に着脱可能に固定されるワイヤ玉掛用の複数のリフトブロックと、対向する各リフトブロック間を着脱可能に連結するジョイントパイプとを備えた構成とする。
【００１１】
以上の構成によれば、揚重時においてリフトパイプは、従来の外殻フレームと同等に空間ユニットの剛性を保つことが出来、据付け後は、複数のクランプ具を空間ユニットから取外すことによって何度でも使用できる。
【００１２】
請求項２に係る発明では、前記請求項１における各クランプ具が、前記リフトパイプの断面形状に沿って２分割され、かつ連結用ボルトを介してリフトパイプに嵌合されるクランプ金具と、上端を該クランプ金具の下部にボルトを介して連結し、前記クランプ金具を嵌合状態に保持するとともに、下端を前記壁パネル側の補強フレームの上端に、これらを貫通する軸状の連結具を介して着脱可能に連結される側面視略Ｃ形のジョイント金具とからなる構成とする。
【００１３】
当該構成によれば、リフトパイプを空間ユニットの上縁に一致させて位置させることが出来、平面方向に対する余分な突出を回避できる。
【００１４】
請求項３に係る発明では、前記請求項１において各クランプ具は、前記リフトパイプの断面形状に沿って２分割された２つのクランプ金具と、該２つのクランプ金具の下端に枢着軸を介して相互に回動自在に一体的に結合されたジョイント金具とからなり、該２つのクランプ金具は相互に開閉自在で上端が連結用ボルトで締結されて嵌合状態に保持され、該ジョイント金具は前記トップレールを避けてその下方に位置する前記補強フレームの上端に至る側面視略Ｃ形に形成されているとともに、該２つのクランプ金具が開放されたときに該各クランプ金具に各々当接してその回動量を規制するストッパ片が一体形成されており、該ジョイント金具の下端は前記補強フレームに対してこれらを貫通する軸状の連結具により着脱自在に連結される構成とする。
【００１５】
即ち、このクランプ具は、２つのクランプ金具とジョイント金具との３部品を枢着軸を介して一体的に結合したので、それらが分離して煩雑にならず、また使用する毎にクランプ具を組み立てることもないため作業時間を短縮できる。さらに、相互に開閉自在枢着した２つのクランプ金具を開放したときに、その回動を規制するストッパ片を形成したので、連結用ボルトを外てもクランプ金具を一定の角度で上方に開放した状態に維持できるため、クランプ具の着脱が極めて容易である。
【００１６】
請求項４に係る発明では、前記請求項３において、前記ジョイント金具は、該補強フレームとの連結部における該トップレールに対向する上縁部が該補強フレームとの連結端側に向けて下方に傾斜形成されている構成とする。
【００１７】
即ち、ジョイント金具と補強フレームとを連結している連結具を外してリフトパイプを吊り上げると、クランプ金具に対し枢着軸を介して相互に回動自在に設けられているジョイント金具が上方に持ち上げられ、ジョイント金具の傾斜形成された上縁部がその上方に位置するトップレールに当接しつつその上縁部にガイドされて枢着軸廻りにジョイント金具が回動し、クランプ具はトップレールに邪魔されることなくリフトパイプと共に空間ユニットから容易に取り外すことができる。
【００１８】
請求項５に係る発明では、前記請求項３または４において、前記ジョイント金具と前記補強フレームとの連結部における該補強フレーム部分には、前記壁パネルと平行に側方に突出するフランジ部を該壁パネルと該ジョイント金具との間に一体形成し、該ジョイント金具には吊り上げ時に該フランジ部に当接する垂直辺部を形成した構成とする。
【００１９】
即ち、補強フレームにジョイント金具の連結部の垂直辺部を当接させると共に、当該連結部の回動を規制し吊り上げた状態での空間ユニットの振れが防止でき、作業性を向上させると共に作業の安全性をも向上させることができる。
【００２０】
請求項６に係る発明では、前記軸状の連結具が、前記ジョイント金具と前記補強フレームとに形成された透孔に挿脱自在に係合されるロック機構を有したインサートピンである構成とするので、クランプ具の着脱を極めて容易に行うことができる。
【００２１】
また、請求項７に示す発明のように、前記軸状の連結具を透孔に挿入されて着脱自在に締結固定するボルト及びナットとすれば、クランプ具をより強固にかつ確実に空間ユニットに連結することができる。
【００２２】
請求項８に示す発明では、前記リフトパイプの両側面には一定間隔でリフトブロック固定用の孔が一列に開けられている一方、該リフトブロックは、前記リフトパイプに跨って移動可能なコ字形断面であって、その側面の両側部には前記孔に一致する間隔の孔が開けられ、該孔同士を一致させた状態で連結ピンを挿通することで、前記リフトブロックをリフトパイプの任意位置に固定できるようにしたことにより、空間ユニットの重心位置に応じて最適玉掛位置を任意に選択できる。
【００２３】
請求項９に示す発明では、前記連結されるリフトパイプ同士の一方の連結端外側部に沿って移動可能に連結され、かつその先端に他方のリフトパイプの端部を支持するパイプ受けを設けたことにより、空間ユニットの外形寸法にあわせた組立調整を簡単に行うことができる。
【００２４】
【発明の実施の形態】
以下、本発明の好ましい実施の形態につき、添付図面を参照して詳細に説明する。
【００２５】
図２〜図４は、本発明に係る空間ユニットの吊上げ用治具装置をトイレユニット１０に適用した場合を示す三面図である。なお、前述する図１と同一箇所には同一符号を付し、新たに説明を付加する部分についてのみ新たな符号を用いて説明する。
【００２６】
また、以上のトイレユニット１０の内部構造については、図１に示すものと同等か、あるいは要求される容積、設備規模や、男女別などの設計計画に応じて可変であるため、その説明は省略する。
【００２７】
各図において、トイレユニット１０の外側部は、トップレール１１及びボトムレール１２の間に壁パネル１が組立てられ、また壁パネル１の外側部には、壁パネル１を構成するパネルユニットの端部に配された複数の縦フレーム１ａが一体に突出し、縦フレーム１ａの外側にはチャンネル材等の鋼材からなる補強フレーム１ｂが縦フレーム１ａを覆った状態に固定された構造となっている。
【００２８】
さらに、トップレール１１の上部には天井パネル１３が組付けられ、この天井パネル１３の上面には間仕切り間隔などに応じて図４に破線で図示された縦横複数の天井フレーム１３ａ、ダクト配管１３ｂなどが水平に配置されている。なお、図４において、これらの部材を破線で示したのは、トイレユニット１０側と吊上げ用治具装置２０側とが平面視で錯綜するのを避け、両者の差異を明確にするためであって、これら部材が天井パネル１３の下面に隠れているのではない。
【００２９】
以上のトイレユニット１０を吊り上げるために組付けられる治具装置２０は、トップレール１１の上部にこれの上縁に一致して縦横に組付けられた二組の長辺側リフトパイプ２１及びこれと直交する短辺側リフトパイプ２２と、上部をリフトパイプ２１，２２にそれぞれ連結し、下部を壁パネル１側の補強フレーム１ｂの上端に連結した複数のクランプ具２３と、各長辺側リフトパイプ２１に固定されたそれぞれ一対のリフトブロック２４と、両リフトブロック２４間を連結したジョイントパイプ２５とから概略構成され、各リフトブロック２４にワイヤＷを玉掛し、クレーンにより吊り上げるようにしている。
【００３０】
本実施の形態では、クランプ具２３がそれぞれ各リフトパイプ２１，２２にそれぞれ複数個づつ結合し、トイレユニット１０に対する吊り荷重の分散化を図ることによって、トイレユニット１０の吊り剛性を確保しているが、これらの個数は任意である。
【００３１】
図５は、以上の治具装置２０の詳細構造を示している。図において、長辺側リフトパイプ２１の両側部にはそれぞれ一定間隔で取付孔２１ａが一列に開口されている。
【００３２】
長辺側リフトパイプ２１と短辺側リフトパイプ２２とは、一対の連結プレート２６を介して着脱可能に連結される。連結プレート２６は外側の先端にリフトパイプ２２の端部を嵌合固定するパイプ受け部２６ａを形成した断面ほぼＬ字形のプレート材であり、側面には水平方向に沿って長孔２６ｂが開口され、この長孔２６ｂを長辺側リフトパイプ２１の端部に位置する取付孔２１ａに一致させ、ボルトナット２７で固定することにより、長辺側リフトパイプ２１の端部に対して短辺側リフトパイプ２２を直交して取り付けるようにしている。
【００３３】
組立に当っては長孔２６に沿って連結プレート２６をスライドさせることで、トイレユニット１０の大きさに応じて長辺側リフトパイプ２１に対する短辺側リフトパイプ２２の取付位置調整が出来るようになっており、トイレユニット１０の大きさに合わせた組立が可能となっている。
【００３４】
リフトブロック２４は、前記リフトパイプ２１の外側に跨って水平方向にスライド可能な断面略コ字形のスライドブロック２８と、スライドブロック２８上に一体化され、前記ジョイントパイプ２５の端部を着脱可能に挿通固定する凸形のホルダブロック２９と、ホルダブロック２９の上部中心に一体化され鉛直軸を中心として旋回可能なリンクボルト３０とからなっており、このリンクボルト３０にシャックルなどを介して前記吊りワイヤＷの端部を連結するように構成されている。
【００３５】
スライドブロック２８の両側面には、リフトパイプ２１の取付孔２１ａの配列ピッチと一致する一対の取付孔２８ａが形成され、両取付孔２１ａ，２８ａを一致させた状態で、これに連結ピン３１をスライドブロック２８の内側まで挿通することで、リフトブロック２４をリフトパイプ２１の適宜位置に連結固定できるようにしている。また、各連結ピン３１は、紛失防止用ワイヤ３２を介してスライドブロック２８に連結されている。
【００３６】
以上の構成において、トイレユニット１０の重心は、その内部に配置される設備機器や、ブースパネルなどの配置によって定まるものであるから、ワイヤＷの吊り中心位置［Ｏ］がトイレユニット１０の重心に一致すべく各リフトブロック２４のリフトパイプ２１に対する位置を定めることで、水平状態を保ちつつトイレユニット１０を揚重することができる。
【００３７】
各クランプ具２３は、リフトパイプ２１，２２の断面形状に沿って２つに半分割されたコ字形をなし、かつ連結用ボルトナット３３を介してリフトパイプ２１，２２に嵌合されるクランプ金具３４と、上端をクランプ金具３４の下部に前記ボルトナット３３を介して連結し、クランプ金具３４を嵌合状態に保持した側面視略Ｃ形のジョイント金具３５とから構成されている。
【００３８】
ジョイント金具３５は補強フレーム１ｂの上端両側部に形成されたねじ孔に連結具をなすボルト３７を介して着脱可能に連結される。従って、組立状態では、図６に示すように、ジョイント金具３５のオーバハングにより、リフトパイプ２１，２２をトイレユニット１０側におけるトップレール１１の直上に位置させる。
【００３９】
また、前記補強フレーム１ｂは、クランプ具２３の取付位置において、縦フレーム１ａの外周補強のために永久固定されるもので、図７に示すように、各縦フレーム１ａの外面に設けた複数のねじ孔にビスＢをねじ込むことで固定され、この部分の補強を行い、吊上げ時のトイレユニット１０の変形を防止する。
【００４０】
以上の治具装置２０のトイレユニット１０に対する組付け作業は、トイレユニット１０の工場出荷直前に行ってもよいし、工事現場で組付けてもよい。
【００４１】
図８は、一例としてクレーン車４０によるトイレユニット１０の吊上げ状態を示している。図における作業形態は、治具装置２０に取付けたワイヤＷの吊り中心［Ｏ］をクレーン４０ａに吊下げられたフックブロック４０ｂに玉掛けし、クレーン４０ａでトイレユニット１０を吊上げつつ、搬入位置に位置する作業員により誘導しながら躯体内部に吊り下ろしている状態を示している。
【００４２】
吊り下ろした状態では、全てのジョイント金具３５のボルト３７を補強フレーム１ｂから外し、空荷状態の治具装置２０のみをクレーン４０ａにより地表側に吊り下ろせば、治具装置２０を他のトイレユニット１０の揚重作業に転用することができる。
【００４３】
次に本発明にかかるトイレユニットの吊り下げ用治具装置の第２の実施形態について説明するが、この実施形態あって、その基本構成が前述の第１実施形態と同一であるものについては、その同一部材には同一の符号を付して、その詳しい説明は省略し、相違する点について詳述する。
【００４４】
図９〜１１は本発明の第２の実施形態を示し、図９はクランプ具をトイレユニットに取り付けた状態を示す側面図、図１０はクランプ具をトイレユニットに取り付けた状態を示す平面図、図１１はクランプ金具を開放した状態を示す側面図ある。
【００４５】
この第２の実施形態のトイレユニットの吊り下げ用治具装置にかかるクランプ具２３は、リフトパイプ２１，２２の外周に嵌合する２つのクランプ金具３４の下端と、ジョイント金具３５の上端とが枢着軸４０を介して相互に回動自在に一体的に結合されている。
【００４６】
前記２つのクランプ金具３４は、各々に平行な２面をなす同一形状の２つの側板３４ａとそれらを繋ぐ連結板３４ｂとを有する断面コ字状をなす同一の部材でなり、互いにその開放側が略対向されて配され、両者の間にはそれらの側板３４ａに対し垂直に断面矩形状の中空筒体でなるリフトパイプ２１，２２が嵌合される。
【００４７】
即ち、対向する２つのクランプ金具３４における側板３４ａの開放側端縁にて、リフトパイプ２１，２２の外周側部が挟まれ、そのリフトパイプ２１，２２の上下には、その外周面に沿いつつ上記側板３４ａが延出形成された突部３４ｃ、３４ｄが当設する。
【００４８】
そして、これらクランプ金具３４は下側突部３４ｄ同士が重ねられ平面視略四角形状をなし、当該下側突部３４ｄの中央に、前記枢着軸４０が貫通して設けられて開閉自在に形成されている。また、両クランプ金具３４の上側の突部３４ｃ間には、リフトパイプ２１、２２を嵌合した状態で隙間が設けられている。
【００４９】
さらに、クランプ金具３４とリフトパイプ２１，２２との嵌合位置より上方のクランプ金具３４の連結板３４ｂには、これらクランプ金具３４の開閉端を連結する連結用ボルト３３の挿通孔が設けられ、この挿通孔に連結用ボルト３３が貫通されてナット締めされ、リフトパイプ２１，２２の嵌合状態を保持している。
【００５０】
また、この組み合わされたクランプ金具３４の下部外側には、横断面略コ字状のジョイント金具３５が、クランプ金具３４の下側突部３４ｄを挟んで囲むように設けられている。このジョイント金具３５は、その上端側に前記クランプ金具３４との結合部３５ａを、下端に補強フレーム１ｂとの連結部３５ｂをそれぞれ有し、それら結合部３５ａと連結部３５ｂとが、これらの間に位置するトップレール１１を避けるように中継部３５ｃで一体的に繋がれて側面視Ｃ字状に形成されている。
【００５１】
上記結合部３５ａの対向する側板部には、クランプ金具３４の下側突部３４ｄに設けられた枢着軸４０の挿通孔４２が設けられ、この枢着軸４０によりジョイント金具３５がクランプ金具３４に対して回動自在に一体的に結合される。この結合部３５ａは、その内側に内方されるクランプ金具３４より大きく形成され、当該結合部３５ａの開放端縁には、一方のクランプ金具３４のストッパ片４４がクランプ金具の３４の連結板３４ｂの背面に向けて一体的に突出形成され、ジョイント金具３５の閉塞端側の背板３５ｆ上端部は、他方のクランプ金具３４のストッパ片４６をなす。
【００５２】
さらに、このジョイント金具３５の上縁は、その枢着軸４０の中心の直上部を境にして開放端側がリフトパイプ２１，２２の下面に当接する一方、その上縁の閉塞端側にはクランプ金具３４がリフトパイプ２１，２２と嵌合した状態で、当該ジョイント金具３５の連結部３５ｂが補強フレーム１ｂから離間する方向に回動可能にするための切り欠き部５０が形成されている。
【００５３】
ジョイント金具３５の連結部３５ｂには、その内面が壁パネル１に設けられた断面略コ字状をなす補強フレーム１ｂの外面に接し、これら連結部３５ｂと補強フレーム１ｂとにはこれらを貫通する透孔が形成され、この透孔に連結具をなすロック機構を有したインサート・ピン４８が着脱自在に挿入さて連結される。さらに、その連結部３５ｂの開放端縁部は垂直辺部３５ｄとして形成され、ジョイント金具３５を補強フレーム１ｂに結合させた状態では、この垂直辺部３５ｄは補強フレーム１ｂの開放端に直角に曲げ形成されたフランジ部１ｃに当接される。また、連結部３５ｂのトップレール１１に対向する上縁部は、補強フレーム１ｂとの連結端側に向けて下方に傾斜する傾斜辺３５ｅとして形成されている。
【００５４】
ここで、前記インサート・ピン４８は、差仕込み側の外周部に突出する表面が球形をなすロック部４８ａが入出自在に設けられ、また、その反対側の端部に設けられたプッシュボタン４８ｂを押すことによってロック部４８ａがピン４８ｃの内方に収納され、プッシュボタン４８ｂを離すことにより、ロック状態に戻るようなロック機構を有したものであり、例えばバルダー社製ＨＷＮ２２３５等のインサート・ピンを用いる。
【００５５】
そして、このクランプ具２３の取り付けは、トイレユニット１０の補強レール１ｂ上端にジョイント金具３５の連結部３５ｂを、その垂直辺部３５ｄが補強レール１ｂのフランジ部１ｃに当接するようにインサート・ピン４８でクランプ具２３を固定する。
【００５６】
次ぎに、取り付けたクランプ具２３のクランプ金具３４を上方に向けて開放させ、両クランプ金具３４をジョイント金具３５に設けられたストッパ片４４，４６に当接させてその開放状態を維持させる。
【００５７】
その後、リフトパイプ２１，２２下面を２つのクランプ金具３４の下側突部３４ｄに当接させると共に、クランプ金具３４を回動して嵌合させ、その上端に連結用ボルト３３を貫通させて締結する。
【００５８】
また、クランプ具２３を外す際には、ジョイント金具３５と補強フレーム１ｂとを連結しているインサート・ピン４のみを外し、クランプ具２３を取り付けたままの状態でリフトパイプ２１，２２を上方に吊り上げる。
【００５９】
このとき、リフトパイプ２１，２２と一体となってクランプ具２３が吊り上げられ、その連結部３５ｂ上端に形成された傾斜辺３５ｅがトップレール１１に当接しつつその傾斜辺３５ｅをガイドとしてジョイント金具３５が回動し、連結部３５ｂがトップレール１１との干渉を避けて外方に退避しながらリフトパイプ２１，２２の上方に外される。
【００６０】
即ち、第２実施形態のトイレユニットの吊上げ用治具装に係るクランプ具にあっては、２つのクランプ金具３４とジョイント金具３５との３部品を枢着軸４０を介して一体的に結合したので、それらが分離して煩雑にならず作業性が良い。さらに、相互に開閉自在枢着した２つのクランプ金具３４を開放させたときに、その回動を規制するストッパ片４４，４６をジョイント金具３５に一体形成したので、連結用ボルト３３を外した状態でクランプ金具３４を一定の角度で上方に開放した状態に維持でき、もってリフトパイプ２１，２２の嵌合作業が極めて容易である。
【００６１】
また、ジョイント金具３５と補強フレーム１ｂとを連結しているインサート・ピン４８を外してリフトパイプ２１，２２を吊り上げると、クランプ金具３４と枢着軸４０を介して相互に回動自在に設けられているジョイント金具３５の上縁部に傾斜形成された傾斜辺３５ｅがその上方に位置するトップレール１１に当接しつつその傾斜辺３５ｅにガイドされて枢着軸４０廻りに当該ジョイント金具３５が回動し、トップレール１１に邪魔されることなくリフトパイプ２１，２２と共に、クランプ具２３をトイレユニット１０から容易に取り外すことができる。
【００６２】
さらに、壁パネル１と平行に側方に突出させて補強フレーム１ｂに一体形成したフランジ部１ｃに当接する垂直辺部３５ｄをジョイント金具３５の連結部３５ｂに設け、ジョイント金具３５を補強フレーム１ｂに連結した状態で、ジョイント金具３５の回動を当該垂直片部３５ｄで規制するようにしたので、トイレユニット１０を吊り上げた状態において、その振れを防止することができ、作業性を向上させると共に作業の安全性をも向上させることができる。
【００６３】
また、ジョイント金具３５と補強フレーム１ｂとを連結する連結具を両者に設けられた透孔に挿脱自在に係合されるロック機構を有したインサート・ピン４８としたので、クランプ具２３の着脱を極めて容易に行うことができる。
【００６４】
尚、本実施形態において連結具をインサート・ピン４８としたが、これに限らず例えば両者の透孔に挿入されて着脱自在に締結固定するボルト及びナットとすると、クランプ具２３をより強固かつ確実に連結することができる。
【００６５】
尚、本実施形態では、本願発明の空間ユニットの吊り下げ治具装置をトイレユニットに適用した形態を示したが、適用される空間ユニットはこれに限るものではなく、給湯室等の他の空間ユニットについても適用できるものである。
【００６６】
【発明の効果】
以上説明したように本発明の請求項１に示す空間ユニットの吊り下げ治具装置にあっては、揚重時においてリフトパイプは、従来の外殻フレームと同等に空間ユニットの剛性を保つと共に、空間ユニットの据付け後は、複数のクランプ具を空間ユニットから取外して付け替えることによって何度でも使用できる。
【００６７】
また、請求項２に示す空間ユニットの吊り下げ治具装置にあっては、クランプ金具と補強フレームとを側面視略Ｃ字状ジョイント金具で繋いだので、リフトパイプを空間ユニットの上縁に一致させて位置させることができ、平面方向に対する余分な突出を回避できる。
【００６８】
また、請求項３に示す空間ユニットの吊り下げ治具装置にあっては、２つのクランプ金具とジョイント金具とを枢着軸を介して相互に回動自在に一体的に結合したので、それらが分離して煩雑にならず作業性が良い。さらに、相互に開閉自在枢着した２つのクランプ金具を開放させたときにその回動を規制するストッパ片をジョイント金具に一体形成したので、連結用ボルトを外した状態でクランプ金具を一定の角度で上方に開放した状態に維持でき、クランプ具の着脱が極めて容易である。
【００６９】
また、請求項４に示す空間ユニットの吊り下げ治具装置にあっては、ジョイント金具と補強フレームとを連結しているインサート・ピンを外してリフトパイプを吊り上げると、クランプ金具と枢着軸を介して相互に回動自在に設けられているジョイント金具が上方に持ち上げられ、ジョイント金具の傾斜形成された上縁部がその上方に位置するトップレールに当接しつつその上縁部にガイドされて枢着軸廻りにジョイント金具が回動し、クランプ具はトップレールに邪魔されることなくリフトパイプと共に空間ユニットから容易に取り外すことができる。
【００７０】
さらに、請求項５に示す空間ユニットの吊り下げ治具装置にあっては、前記壁パネルと平行に側方に突出させて補強フレームに一体形成したフランジ部に当接する垂直辺部をジョイント金具の連結部に設け、ジョイント金具を補強フレームに連結した状態で、ジョイント金具の回動を規制するようにしたので、空間ユニットを吊り上げた状態において、その振れを防止することができ、作業性を向上させると共に作業の安全性をも向上させることができる。
【００７１】
また、請求項６に示す空間ユニットの吊り下げ治具装置にあっては、ジョイント金具と補強フレームとを連結する連結具を両者に設けられた透孔に挿脱自在に係合されるロック機構を有したインサートピンとしたので、クランプ具の着脱を極めて容易に行うことができる。
【００７２】
また、請求項７に示す空間ユニットの吊り下げ治具装置にあっては、前記連結具を両者の透孔に挿入されて着脱自在に締結固定するボルト及びナットとしたので、クランプ具をより強固かつ確実に連結することができる。
【００７３】
請求項８に示す空間ユニットの吊り下げ治具装置にあっては、前記リフトパイプの両側面には一定間隔でリフトブロック固定用の孔が一列に開けられている一方、該リフトブロックは、前記リフトパイプに跨って移動可能なコ字形断面であって、その側面の両側部には前記孔に一致する間隔の孔が開けられ、該孔同士を一致させた状態で連結ピンを挿通することで、前記リフトブロックをリフトパイプの任意位置に固定できるようにしたことにより、空間ユニットの重心位置に応じて最適玉掛位置を任意に選択できる。
【００７４】
請求項９に示す空間ユニットの吊り下げ治具装置にあっては、前記連結されるリフトパイプ同士の一方の連結端外側部に沿って移動可能に連結され、かつその先端に他方のリフトパイプの端部を支持するパイプ受けを設けたことにより、空間ユニットの外形寸法にあわせた組立調整を簡単に行うことが出来る。
【図面の簡単な説明】
【図１】本発明の吊上げ用治具装置が適用されるトイレユニットの平面図である。
【図２】吊上げ用治具装置を付加したトイレユニットの側面図である。
【図３】同正面図である。
【図４】同平面図である。
【図５】同治具装置の詳細構造を示す分解斜視図である。
【図６】同組立状態を示す部分拡大断面図である。
【図７】図６のＡ−Ａ線断面図である。
【図８】同治具装置を用いたトイレユニットの吊上げ状態を示す説明図である。
【図９】本発明の第２の実施形態のトイレユニットの吊上げ治具装置にかかるクランプ具をトイレユニットに取り付けた状態を示す側面図である。
【図１０】同平面図である。
【図１１】同治具装置にかかるクランプ金具を上方に開放した状態を示す側面図ある。
【符号の説明】
１  壁パネル
１ａ  縦フレーム
１ｂ  補強フレーム
１ｃ  フランジ部
１０  トイレユニット
１１  トップレール
２０  吊上げ用治具装置
２１，２２  リフトパイプ
２１ａ，２８ａ  取付孔
２３  クランプ具
２４  リフトブロック
２５  ジョイントパイプ
２６  連結プレート
３１  連結ピン
３４  クランプ金具
３４ａ  側板
３４ｂ  連結板
３４ｃ  上側の突部
３４ｄ  下側の突部
３５  ジョイント金具
３５ａ  結合部
３５ｂ  連結部
３５ｃ  中継部
３５ｄ  垂直辺部
３５ｅ  傾斜辺
３５ｆ  背板
４０  枢着軸
４４，４６  ストッパ片
４８  インサート・ピン
４８ａ  ロック部
４８ｂ  プッシュボタン
４８ｃ  ピン
５０  切り欠き部
【図１】
0003786542.tif 000002
【図２】
0003786542.tif 000003
【図３】
0003786542.tif 000004
【図４】
0003786542.tif 000005
【図５】
0003786542.tif 000006
【図６】
0003786542.tif 000007
【図７】
0003786542.tif 000008
【図８】
0003786542.tif 000009
【図９】
0003786542.tif 000010
【図１０】
0003786542.tif 000011
【図１１】
0003786542.tif 000012